(57)【要約】【課題】  電源引込盤を交換することなく、耐雷変圧器を絶縁破壊から保護する手段を講じた電気施設の防雷システムを提供する。【解決手段】  電気設備１を収容した構築物２の周囲にその構築物２を囲むように電線を地中に埋設した環状接地線３を設けると共に、前記電気設備１及び構築物２の鉄骨とその構築物２に付設された避雷針４とを前記環状接地線３に接続し、構築物２外部からの低圧電力を電源引込盤６を介して構築物２内部の電気設備１に供給する電源線５に耐雷変圧器７を介挿した電気施設において、前記電源引込盤６の外部で耐雷変圧器７の一次側と大地間に高耐圧サージ防護デバイス２０を接続する。【選択図】  図１
2006136153.tif 000002
【特許請求の範囲】
【請求項１】
電気設備を収容した構築物の周囲にその構築物を囲むように電線を地中に埋設した環状接地線を設けると共に、前記電気設備及び構築物の鉄骨とその構築物に付設された避雷針とを前記環状接地線に接続し、構築物外部からの低圧電力を電源引込盤を介して構築物内部の電気設備に供給する電源線に耐雷変圧器を介挿した電気施設において、前記電源引込盤の外部で耐雷変圧器の一次側と大地間に高耐圧サージ防護デバイスを接続したことを特徴とする電気施設の防雷システム。
【請求項２】
前記高耐圧サージ防護デバイスは、耐雷変圧器の一次側と環状接地線との間に接続されている請求項１に記載の電気施設の防雷システム。
【請求項３】
前記高耐圧サージ防護デバイスは、耐雷変圧器の一次側と接地側との間に接続されている請求項１に記載の電気施設の防雷システム。
【請求項４】
前記構築物は、通信基地局である請求項１〜３のいずれか一項に記載の電気施設の防雷システム。
【発明の詳細な説明】
【技術分野】
【０００１】
本発明は、電気施設の防雷システムに関し、例えば携帯電話の基地局などの構築物内に電気設備を収容した電気施設において、低圧電力を電源引込盤を介して電気設備に供給する電源線に耐雷変圧器を介挿し、その耐雷変圧器により構築物内の電気設備に対して雷対策を講じた電気施設の防雷システムに関する。
【背景技術】
【０００２】
例えば携帯電話の基地局などの構築物内に電気設備を収容した電気施設における雷対策として、図２に示す防雷システムがある。この電気施設の防雷システムの構成は、以下のとおりである。
【０００３】
同図に示すように通信機器などの電気設備１を収容した構築物２の周囲にその構築物２を囲むように電線を地中に埋設した環状接地線３を設けている。また、この構築物２の近辺には、避雷針４が設置されている。これら構築物２の鉄骨と構築物２内の電気設備１、その構築物２に付設された避雷針４とを環状接地線３に接続している。
【０００４】
一方、構築物２内に設置された通信機器などの電気設備１に低圧電力を供給する電源線５が敷設されており、その電源線５に電源引込盤６が設置され、その電源引込盤６と構築物２内の電気設備１との間に耐雷変圧器７が設置されている。この電源引込盤６には、電力量計８および遮断器９の他に、低圧サージ防護デバイス１０（以下、低圧ＳＰＤと称す）が設置されている。この低圧ＳＰＤ１０は、前述の耐雷変圧器７と共に大地に接続されている。
【０００５】
前述のような構成からなる防雷システムでは、避雷針４に落雷があると、その雷サージによる雷電流が環状接地線３や電源線５に流れることになる。この雷電流は、電源線５に設置された耐雷変圧器７や電源引込盤６に設置された低圧ＳＰＤ１０を通じて大地に流れる。これにより、構築物２内の電気設備１を雷サージから保護すると共に、電源線５を通じて雷電流が電気施設の外部に流れ出ることを阻止している。この電気施設の近隣には、電源線５を介して一般電力需要家が存在するため、電気施設からの雷サージの流出を阻止することにより、その一般電力需要家を雷サージから保護するようにしている。
【発明の開示】
【発明が解決しようとする課題】
【０００６】
ところで、前述した防雷システムにおいて、構築物２内の電気設備１を雷サージから保護するために設置された耐雷変圧器７としては、通常、例えば３０ｋＶ程度の絶縁強度を有するものが使用されている。しかしながら、この耐雷変圧器７の絶縁強度以上の雷サージが入力されると、その耐雷変圧器７自体が破壊されることになる。
【０００７】
そこで、耐雷変圧器７の絶縁強度以上の雷サージが侵入してきても、その耐雷変圧器７の絶縁破壊を未然に防止するための手段を講じた防雷システムとして、図３に示すものがある。
【０００８】
この防雷システムは、同図に示すように電源引込盤１６の低圧ＳＰＤ１０（図２参照）に代えて高耐圧ＳＰＤ２０を設置したものである。つまり、高耐圧ＳＰＤ２０を電源引込盤１６の内部に設置し、その接地側を耐雷変圧器７および電源引込盤１６の筐体と共に環状接地線３に接続した構成を具備する。このように高耐圧ＳＰＤ２０により耐雷変圧器７をその絶縁強度以上の雷サージの侵入による絶縁破壊から保護するようにしている。
【０００９】
しかしながら、この高耐圧ＳＰＤ２０を低圧ＳＰＤ１０に代えて電源引込盤１６に設置しようとした場合、高耐圧ＳＰＤ２０の動作電圧が高いことから、絶縁引込盤１６の絶縁強度も高める必要がある。従って、低圧ＳＰＤ１０を高耐圧ＳＰＤ２０に変更する場合、低圧の電源引込盤６（図２参照）を例えば４０ｋＶ程度の絶縁強度を有する高圧の電源引込盤１６に交換しなければならない。このように電源引込盤ごと交換しなければならないことから、設備費が嵩みコストアップを招来すると共に交換作業が不可欠であるという問題があった。
【００１０】
そこで、本発明は前述の問題点に鑑みて提案されたもので、その目的とするところは、電源引込盤を交換することなく、耐雷変圧器を絶縁破壊から保護する手段を講じた電気施設の防雷システムを提供することにある。
【課題を解決するための手段】
【００１１】
前述の目的を達成するための技術的手段として、本発明は、電気設備を収容した構築物の周囲にその構築物を囲むように電線を地中に埋設した環状接地線を設けると共に、前記電気設備及び構築物の鉄骨とその構築物に付設された避雷針とを前記環状接地線に接続し、構築物外部からの低圧電力を電源引込盤を介して構築物内部の電気設備に供給する電源線に耐雷変圧器を介挿した電気施設において、前記電源引込盤の外部で耐雷変圧器の一次側と大地間に高耐圧ＳＰＤを接続したことを特徴とする。
【００１２】
この高耐圧ＳＰＤは、耐雷変圧器の一次側と環状接地線との間に接続するか、あるいは、耐雷変圧器の一次側と接地側との間に接続することが可能である。なお、構築物としては、携帯電話の通信基地局があるが、その他の構築物、例えば高度情報化ビル、ハイテク工場など、送配電線や情報通信系に至る広範囲の電気施設に適用可能である。
【００１３】
本発明では、電源引込盤の外部で耐雷変圧器の一次側と大地間に高耐圧ＳＰＤを接続したことにより、低圧ＳＰＤが設置された既存の電源引込盤を現状維持のまま使用することができるので、高耐圧ＳＰＤ用として高い絶縁強度を有する電源引込盤に交換する必要がない。従って、低圧ＳＰＤが設置された既存の電源引込盤を使用しつつ、高耐圧ＳＰＤにより耐雷変圧器をその絶縁強度以上の雷サージの侵入による絶縁破壊から保護することが可能となる。
【発明の効果】
【００１４】
本発明によれば、電源引込盤の外部で耐雷変圧器の一次側と大地間に高耐圧ＳＰＤを接続したことにより、低圧ＳＰＤが設置された既存の電源引込盤を現状維持のまま使用することができるので、高耐圧ＳＰＤ用として高い絶縁強度を有する電源引込盤に交換する必要がない。従って、低圧ＳＰＤが設置された既存の電源引込盤を使用しつつ、高耐圧ＳＰＤにより耐雷変圧器をその絶縁強度以上の雷サージの侵入による絶縁破壊から保護することが可能となり、設備費が嵩むこともなく、電源引込盤の交換作業も不要で、雷サージ保護の面で信頼性の高い防雷システムを提供できる。
【発明を実施するための最良の形態】
【００１５】
図１は本発明に係る電気施設の防雷システムの実施形態を示す概略構成図である。
【００１６】
この実施形態の防雷システムは、同図に示すように通信機器などの電気設備１を収容した構築物２（例えば、携帯電話の基地局）の周囲にその構築物２を囲むように電線を地中に埋設した環状接地線３を設けている。また、この構築物２の近辺には、避雷針４が設置されている。これら構築物２の鉄骨と構築物２内の電気設備１、その構築物２に付設された避雷針４とを環状接地線３に接続している。
【００１７】
一方、構築物２内に設置された通信機器などの電気設備１に低圧電力を供給する電源線５が敷設されており、その電源線５に低圧の電源引込盤６が設置され、その電源引込盤６と構築物２内の電気設備１との間に耐雷変圧器７が設置されている。この低圧の電源引込盤６には、電力量計８および遮断器９の他に、低圧ＳＰＤ１０が設置されている。この低圧ＳＰＤ１０は、前述の耐雷変圧器７と共に大地に接続されている。
【００１８】
さらに、この実施形態では、電源引込盤６の外部で耐雷変圧器７の一次側と大地間に高耐圧ＳＰＤ２０を接続する。図では、この高耐圧ＳＰＤ２０を耐雷変圧器７の一次側と環状接地線３との間に接続している。なお、高耐圧ＳＰＤ２０は、耐雷変圧器７の一次側と接地側との間に接続することも可能である。また、構築物２としては、携帯電話の通信基地局を例示しているが、その他の構築物、例えば高度情報化ビル、ハイテク工場など、送配電線や情報通信系に至る広範囲の電気施設に適用可能である。
【００１９】
この防雷システムでは、電源引込盤６の外部で耐雷変圧器７の一次側と大地間に高耐圧ＳＰＤ２０を接続したことにより、低圧ＳＰＤ１０が設置された既存の電源引込盤６を現状維持のまま使用することができるので、高耐圧ＳＰＤ用として高い絶縁強度を有する電源引込盤１６（図３参照）に交換する必要がない。従って、低圧ＳＰＤ１０が設置された既存の電源引込盤６を使用しつつ、高耐圧ＳＰＤ２０により耐雷変圧器７をその絶縁強度以上の雷サージの侵入による絶縁破壊から保護することが可能となる。
【００２０】
すなわち、防雷システムでは、避雷針４に落雷があると、その雷サージによる雷電流が環状接地線３や電源線５に流れることになる。この雷電流は、電源線５に設置された耐雷変圧器７や電源引込盤６に設置された低圧ＳＰＤ１０を通じて大地に流れる。これにより、構築物２内の電気設備１を雷サージから保護すると共に、電源線５を通じて雷電流が電気施設の外部に流れ出ることを阻止している。この電気施設の近隣には、電源線５を介して一般電力需要家が存在するため、電気施設からの雷サージの流出を阻止することにより、その一般電力需要家を雷サージから保護する。
【００２１】
この防雷システムにおいて、構築物２内の電気設備１を雷サージから保護するために設置された耐雷変圧器７としては、通常、例えば３０ｋＶ程度の絶縁強度を有するものが使用されているが、この耐雷変圧器７の絶縁強度以上の雷サージが入力された場合、高耐圧ＳＰＤ２０により耐雷変圧器７をその絶縁強度以上の雷サージの侵入による絶縁破壊から保護することが可能となる。
【図面の簡単な説明】
【００２２】
【図１】本発明に係る電気施設の防雷システムの実施形態を示す概略構成図である。
【図２】電気施設の防雷システムの従来例を示す概略構成図である。
【図３】電気施設の防雷システムの他の従来例で、電源引込盤に高耐圧ＳＰＤを設置した場合を示す概略構成図である。
【符号の説明】
【００２３】
１  電気設備
２  構築物
３  環状接地線
４  避雷針
５  電源線
６  電源引込盤
７  耐雷変圧器
２０  高耐圧サージ防護デバイス
【図１】
2006136153.tif 000003
【図２】
2006136153.tif 000004
【図３】
2006136153.tif 000005